(57)【要約】【課題】検煙部の下方に煙流入部が設けられている光電式煙感知器において、感知対象でない湯気等が上方の検煙部に流入するのを防ぐ。【解決手段】検煙部２の下方に煙流入部３が設けられている光電式煙感知器１において、煙流入部３は、上下一対の板状部間５ａ，５ｂ間に形成されると共に、周囲が外部に開放される開放空間として形成される流入空間部３ａを有するものとして設けられており、下方の板状部５ｂには、上方の板状部５ａに対向する面５ｊ側に、上方に向けて突出すると共に、上方の板状部５ａに形成される開口部５ｅを貫通する突出部５ｄが設けられ、上方の板状部５ａには、開口部５ｅ内に、検煙部２と煙流入部３とを連通する連通口５ｆが環状をなすものとして形成されていることを特徴とする。【選択図】図７
2018067067.tif 000002
【特許請求の範囲】
【請求項１】
検煙部の下方に煙流入部が設けられている光電式煙感知器において、
前記煙流入部は、上下一対の板状部間に形成される流入空間部であって、周囲が外部に開放される開放空間として形成されて、周囲一方の側から流入する気流が横方向直線状に内部を通過して反対の他方の側から流出可能な流入空間部を有するものとして設けられており、
そして、前記上下一対の板状部のうち下方の板状部には、上方の板状部に対向する面側に、上方に向けて突出すると共に、上方の板状部に形成される前記検煙部に面して開口する開口部を貫通する突出部が設けられており、
また、前記上下一対の板状部のうち上方の板状部には、前記開口部内に、その開口部を前記突出部が貫通することにより、前記煙流入部と前記検煙部とを連通する連通口が環状をなすものとして形成されていることを特徴とする光電式煙感知器。
【請求項２】
前記開口部には、その口縁部に内方に向けて下方に傾斜する傾斜段部が設けられていることを特徴とする請求項１に記載の光電式煙感知器。
【請求項３】
前記上方の板状部には、前記下方の板状部に対向する面側に、前記開口部の周囲に放射状に延在する複数の突条部が設けられていることを特徴とする請求項１又は２に記載の光電式煙感知器。
【請求項４】
前記上方の板状部には、前記検煙部に対向する面側に、前記検煙部を下方から覆う検煙部カバーが設けられていることを特徴とする請求項１乃至３のいずれか１項に記載の光電式煙感知器。
【発明の詳細な説明】
【技術分野】
【０００１】
この発明は、煙を光学的に検知する光電式煙感知器に関する。
【背景技術】
【０００２】
光電式煙感知器は、発光素子が発光する光が煙の粒子により散乱することで検煙部内に発生する散乱光を受光素子が受光することによって、煙流入部から流入する煙を光学的に検知するように構成されている。
【０００３】
従来、そのような光電式煙感知器において、検煙部の下方に外部から煙が流入する煙流入部が設けられているものがある。そのように検煙部と煙流入部とを上下二段に配置することにより、質量の小さい煙と質量の大きい湯気等の火災以外の原因に由来するものとを上下に分流して、感知対象である煙は上方の検煙部に流入し易くする一方、感知対象でない湯気等は上方の検煙部に流入し難くすることができる（例えば、特許文献１参照）。
【先行技術文献】
【特許文献】
【０００４】
【特許文献１】特開２０１０−２３８１０９号公報
【発明の概要】
【発明が解決しようとする課題】
【０００５】
ところで、光電式煙感知器には、外部から煙を検煙部に導く煙流路を煙流入部中に形成しつつ、外光が検煙部に入るのを遮る多数の遮光壁からなるラビリンス部が煙流入部に設けられている。検煙部の下方に煙流入部が設けられているものにおいても、そのような複雑な構造のラビリンス部が煙流入部に設けられている（前記特許文献１参照）。
【０００６】
しかしながら、前記のようなラビリンス部が設けられていると、そのラビリンス部内に感知対象でない湯気等が滞留してしまうことがあり、その滞留した湯気等が上昇して上方の検煙部に流入してしまうことがある。すなわち、検煙部の下方に煙流入部が設けられている光電式煙感知器であっても、感知対象でない湯気等が検煙部に流入してしまうことがある。
【０００７】
この発明は、上記の事情に鑑み、検煙部の下方に煙流入部が設けられている光電式煙感知器において、感知対象でない湯気等が上方の検煙部に流入するのを防ぐことを目的とする。
【課題を解決するための手段】
【０００８】
この発明は、検煙部の下方に煙流入部が設けられている光電式煙感知器において、前記煙流入部は、上下一対の板状部間に形成される流入空間部であって、周囲が外部に開放される開放空間として形成されて、周囲一方の側から流入する気流が横方向直線状に内部を通過して反対の他方の側から流出可能な流入空間部を有するものとして設けられており、そして、前記上下一対の板状部のうち下方の板状部には、上方の板状部に対向する面側に、上方に向けて突出すると共に、上方の板状部に形成される前記検煙部に面して開口する開口部を貫通する突出部が設けられており、また、前記上下一対の板状部のうち上方の板状部には、前記開口部内に、その開口部を前記突出部が貫通することにより、前記煙流入部と前記検煙部とを連通する連通口が環状をなすものとして形成されていることを特徴とする光電式煙感知器である。
【０００９】
なお、この発明において、「上方」、「下方」等の位置関係を示す語は、光電式煙感知器が天井に取り付けられている際の位置関係に従って用いている。
【００１０】
また、この発明は、前記開口部には、その口縁部に内方に向けて下方に傾斜する傾斜段部が設けられていることを特徴とする光電式煙感知器である。
【００１１】
また、この発明は、前記上方の板状部には、前記下方の板状部に対向する面側に、前記開口部の周囲に放射状に延在する複数の突条部が設けられていることを特徴とする光電式煙感知器である。
【００１２】
また、この発明は、前記上方の板状部には、前記検煙部に対向する面側に、前記検煙部を下方から覆う検煙部カバーが設けられていることを特徴とする光電式煙感知器である。
【発明の効果】
【００１３】
この発明においては、流入空間部に流入する煙と湯気等のうち、突出部に当たらないものは、そのまま内部を横方向に流れて外部に流出する。一方、突出部に当たるものは、その際に、煙と湯気等とが互いの質量の違いにより上下に分流される。すなわち、煙は、軽いため、上昇して上方に分流され、湯気等は、重いため、慣性により上昇せずに下方に分流される。そして、上方に分流される煙は、軽いため、突出部により上方に誘導されてさらに上方に流れ、突出部の周りに形成される環状の連通口を通過して、検煙部に流入する。一方、下方に分流される湯気等は、重いため、慣性により上方には誘導されずに下方を流れるままとなり、検煙部の内部を横方向に流れて外部に流出する。
【００１４】
つまり、この発明によれば、流入空間部に流入する煙と湯気等のうち、感知対象である煙は、突出部に当たることにより、検煙部に流入するようにしつつ、感知対象でない湯気等は、突出部に当たらないものはもちろん、突出部に当たるものであっても、流入空間部の内部に滞留させずに外部に流出させることができる。
【００１５】
したがって、この発明によれば、検煙部の下部に煙流入部が設けられている光電式煙感知器において、感知対象である煙を上方の検煙部に流入するようにしつつ、感知対象でない湯気等が上方の検煙部に流入するのを防ぐことができる。
【００１６】
また、この発明によれば、上方の板状部に形成されている検煙部に面して開口する開口部の口縁部に中心に向けて下方に傾斜する傾斜段部を設けていることにより、その傾斜段部によって上方を流れる煙と湯気等を下方に流すことができ、その下方に流した煙と湯気等が突出部に当たることにより、湯気等には下方への慣性が働くこととなり、煙との分流作用を高めることができる。さらに、流入空間部は、流路が傾斜段部の部分で高さ方向に狭くなる。煙と湯気等は、その狭くなる流路を通過して流速が上がった状態で突出部に当たることになる。それにより、湯気等には慣性が強く働くこととなり、煙との分流作用をさらに高めることができる。
【００１７】
また、この発明によれば、上方の板状部に、下方の板状部に対向する面側に、開口部の周囲に放射状に延在する複数の突条部を設けていることにより、上方を流れる煙と湯気等を開口部に向けて集めることができる。そして、その集めた上方を流れる煙と湯気等を前記のように傾斜段部により下方に流して突出部に当てて上下に分流することができる。
【００１８】
ここで、この発明においては、従来の多数の遮光壁によって形成されるような複雑な構造のラビリンス部を設ける必要がないので、上方の板状部における下方の板状部に対向する面側の形状を簡単なものとすることができる。それにより、例えば、従来は別部品として成形していた検煙部を下方から覆う検煙部カバーを上方の板状部の検煙部に対向する面側に設けることが可能となる。すなわち、この発明によれば、上方の板状部の検煙部に対向する面側に検煙部カバーを設けることができ、部品点数を減らすことができる。
【図面の簡単な説明】
【００１９】
【図１】この発明の光電式煙感知器の実施形態の一例を示し、機器全体の縦断面図である
【図２】同上の例の下方側から見た機器全体の分解斜視図である。
【図３】同上の例の上方側から見た機器全体の分解斜視図である。
【図４】同上の例の煙流入部材のみを示した側面図である。
【図５】図４の縦断面図である。
【図６】図４の平面図である。
【図７】図１の部分拡大図である。
【発明を実施するための形態】
【００２０】
この発明の光電式煙感知器の実施形態の一例を図１乃至図７に基づいて説明する。
【００２１】
光電式煙感知器１は、先ず、図１に示されるように、検煙部２の下方に煙流入部３が設けられ、検煙部２と煙流入部３とを上下二段に配置してなるものである。そして、下方の煙流入部３から流入する煙を上方の検煙部２において光学的に検知するものである。
【００２２】
ここで、光電式煙感知器１は、図２及び図３に示されるように、主要な構成部品として、取り付け面（天井面等）への取り付け用のベース部材６と、検煙部２が設けられる検煙部材４と、煙流入部３が設けられる煙流入部材５と、それら部材を下方から覆うカバー部材７とを備えている。なお、詳細は後記するが、本実施形態の場合、前記の部品中、煙流入部材５については、検煙部材４と対向する面側に検煙部２を下方から覆う検煙部カバー１２を有するものとしている。従来、そのような検煙部カバーは、成形上の理由から煙流入部材とは別部品として成形しなければならなかったが、この発明によれば、本実施形態において例示している通り、煙流入部材５の一部分として成形することが可能であり、部品点数を減らすことが可能である。
【００２３】
この光電式煙感知器１において、検煙部２は、検煙部材４の台板４ａの下面 、煙流入部材５に対向する面側に設けられている。具体的には、検煙部２は、図２中に詳細が示されるように、台板４ａ上に設けられた筒状の壁体１１と、発光素子及び受光素子がそれぞれ収納される発光素子収納部８及び受光素子収納部９とを有すると共に、それらによって周囲が囲まれる検煙空間部１０を有するものとして設けられている。なお、図示の便宜上、発光素子及び受光素子等の光学部品の図示を省略している。
【００２４】
また、煙流入部３は、煙流入部材５の内部に設けられている。図４乃至図６は、煙流入部材５のみを拡大して示した図である。それら図面に示されるように、煙流入部材５は、検煙部材４の下方に配置される上下一対の板状部５ａ，５ｂを有している。両板状部５ａ，５ｂは、両者の周縁部間に立設される複数の支柱部５ｃによって上下に略平行に対向して離間した状態で連結されている。それにより、両板状部５ａ，５ｂ間には、周囲が外部に開放される吹き抜け構造の開放空間として流入空間部３ａが形成されている。煙流入部３は、その流入空間部３ａの外部から流入する煙を検煙部２に流入させるためのものとして有している。一方、従来の多数の遮光壁によって形成されるような複雑な構造のラビリンス部は有していない。なお、流入空間部３ａは、具体的には、複数の支柱部５ｃ間の開口として形成され、煙が流入する入り口である流入口３ｂによって周囲が外部に開放されている。すなわち、外部から流入する煙を検煙部２に流入させるためのものとして、 煙流入部３は、流入空間部３ａと流入口３ｂとを有している。なお、煙流入部３は、その外周部に防虫網を設けないものとして説明するが、防虫網は設けても良い。
【００２５】
ここで、本実施形態の場合、検煙部材４にも周囲外方に面して開口する複数の開口部４ｂが設けられており、また、カバー部材７にも周囲外方に面して開口する複数の開口部７ａが設けられている。組品の状態において、それら開口部４ｂ及び開口部７ａは、煙流入部３における複数の流入口３ｂの外側に位置するものとして設けられている。すなわち、本実施形態の場合、煙流入部３における複数の流入口３ｂは、それら開口部４ｂ及び開口部７ｂを介して外部に開放されるものとして設けられている。
【００２６】
煙流入部３において、流入空間部３ａは、前記の通り、周囲が外部に開放される吹き抜け構造の開放空間として形成されている。それにより、周囲一方の側の流入口３ｂから流入する気流は、横方向直線状に内部を通過して反対の他方の側の流入口３ｂから外部に流出することになる。
【００２７】
そして、煙流入部材５において、下方の板状部５ｂには、上方の板状部５ａに対向する面５ｊの中央部に、上方に向けて山形状に突出する円錐台状の突出部５ｄが設けられている。上方の板状部５ａには、その中央部に検煙部２の検煙空間部１０に連通するように開口する開口部５ｅが形成されており、突出部５ｄは、その開口部５ｅを貫通している。すなわち、突出部５ｄの上端部は開口部５ｅより上方に位置する。それにより、上方の板状部５ａの開口部５ｅ内には、煙流入部３の流入空間部３ａと検煙部２の検煙空間部１０とを連通し、煙流入部３側から検煙部２側に煙を流入させる環状（本実施形態においては円環状）をなす連通口５ｆが設けられている。なお、連通口５ｆの環状の形状としては、本実施形態の場合、全周に亘って連続して環状に開口した形状のものとしているが、断続して環状に開口した形状のものとしてもよい。さらに、突出部５ｄの形状については、上方に向けて先細となる形状であればよく、上部が切頭された形状でない円錐形状としてもよい。また、断面が円形でなくてもよく、例えば、角錐台状や角錐状としてもよい。
【００２８】
煙流入部３は、前記のように構成されており、外部から流入する煙や湯気等は、図７中に矢印で示したように流れることになる。
【００２９】
煙流入部３の流入口３ｂから流入空間部３ａに流入する煙と湯気等のうち、途中、突出部５ｄに当たらないものは、矢印Ａ１として示したように、流入空間部３ａの内部を横方向にそのまま流れて反対側の流入口３ｂから外部に流出する。一方、突出部５ｄに当たるものは、その際に、煙と湯気等とが互いの質量の違いにより上下に分流される。すなわち、煙は、軽いため、矢印Ａ２として示したように、上昇して上方に分流され、湯気等は、重いため、矢印Ａ３として示したように、慣性により上昇せずに下方に分流される。そして、上方に分流される煙は、軽いため、矢印Ａ４として示したように、突出部５ｄにより上方に誘導されてさらに上方に流れ、突出部５ｄの周りに形成される環状の連通口５ｆを通過して、検煙部２の検煙空間部１０に流入する。一方、下方に分流される湯気等は、重いため、慣性により上方には誘導されずに下方を流れるままとなり、矢印Ａ５として示したように、突出部５ｄの両側面から後方に回り込んで横方向に流れて反対側の流入口３ｂから外部に流出する。もしくは突出部５ｄの側方（後方寄り）の流入口３ｂから外部に流出する。
【００３０】
つまり、煙流入部３においては、流入空間部３ａに流入する煙と湯気等のうち、感知対象である煙は、突出部５ｄに当たることにより、検煙部２に流入するようにしつつ、感知対象でない湯気等は、突出部５ｄに当たらないものはもちろん、突出部５ｄに当たるものであっても、流入空間部３ａの内部に滞留させずに外部に流出させることができる。
【００３１】
したがって、この光電式煙感知器１においては、煙流入部３が前記のように構成されていることにより、感知対象である煙を上方の検煙部２に流入するようにしつつ、感知対象でない湯気等が上方の検煙部２に流入するのを防ぐことができる。
【００３２】
さらに、本実施形態の光電式煙感知器１について、詳細に説明する。
【００３３】
煙流入部材５において、上方の板状部５ａには、前記の通り、検煙部２の検煙空間部１０に面して開口する開口部５ｅが設けられており、その開口部５ｅ内に環状の連通口５ｆが形成されているが、その開口部５ｅには、その口縁部を下方に向けて傾斜する傾斜段部５ｇが設けられている。その傾斜段部５ｇにより、図７中、矢印Ａ６として示したように、上方を流れる煙と湯気等は下方に流れることとなり、その状態で突出部５ｄに当たることになる。これにより、湯気等は下方への慣性が働くこととなり、一方、煙は軽いので突出部５ｄにより上方に誘導されることで、煙との分流作用を高めることができる。さらに、流入空間部３ａは、流路が傾斜段部５ｇのある部分で高さ方向に狭くなる。煙と湯気等は、その狭くなる流路を通過するときに流速が上がり、その流速が上がった状態で突出部５ｄに当たることになる。これにより、湯気等には慣性が強く働くこととなり、煙との分流作用を高めることができる。
【００３４】
また、上方の板状部５ａには、下方の板状部５ｂに対向する面５ｋに、開口部５ｅの周囲に半径方向に延在する複数の突条部５ｈが設けられている。それら複数の突条部５ｈにより、流入空間部３ａの上方を流れる煙と湯気等を中心部側（開口部５ｅ）に向けて集めることができる。そして、その集めた上方を流れる煙と湯気等を、傾斜段部５ｇにより、前記のように、下方に誘導して突出部５ｄに当てて上下に分流することができる。この突条部５ｈは、３個以上とすることにより、開口部５ｅの周囲に放射状に配置することができ、上方を流れる煙と湯気等を開口部５ｅに向けて集め易くすることができる。なお、本実施形態の場合、上方の板状部５ａの周縁部に設けられる複数の支柱部５ｃと同数設けられており、それら複数の支柱部５ｃに連続して上方の板状部５ａの周縁部から開口部５ｅに向けて延在するものとして設けられている。これにより、複数の支柱部５ｃ間に設けられる流入口３ｂから流入して上方を流れる煙と湯気等を中心側に向けて円滑に集めることができる。
【００３５】
また、上方の板状部５ａには、検煙部２に対向する面側に、検煙部２を下方から覆う検煙部カバー１２が設けられている。ここで、この発明においては、従来の多数の遮光壁によって形成されるような複雑な構造のラビリンス部を設ける必要がないので、煙流入部材５における上方の板状部５ａの下方の板状部５ｂに対向する面５ｋ側の形状を簡単なものとすることができる。それにより、上方の板状部５ａの反対側の検煙部２に対向する面側に、従来であれば別部品として成形していたような構造部分を設けることが成形上可能となり、本実施形態における検煙部２を下方から覆う検煙部カバー１２のような構造部分を設けることが可能となる。すなわち、本実施形態においては、上方の板状部５ａの検煙部２に対向する面側に検煙部カバー１２が設けられていることにより、部品点数を減らすことができている。
【００３６】
さらに、下方の板状部５ｂに設けられている円錐台状の突出部５ｄは、その下部の外面形状を凹状に湾曲した湾曲面５ｍとしている。それにより、下方に分流される湯気等が突出部５ｄに当たった際に、後方により回り込ませ易くすることができる。
【００３７】
また、流入空間部３ａの下面側を形成 する下方の板状部５ｂの上方の板状部５ａに対向する面５ｊは、周縁側から中心側の突出部５ｄに向かって上方に徐々に傾斜して設けられている。すなわち、流入空間部３ａは、周縁側から内側に中央の突出部５ｄに向けて流路が高さ方向に徐々に狭くなる形状に形成されている。なお、流入空間部３ａの上面側を形成する上方の板状部５ａの下方の板状部５ｂに対向する面５ｋも、僅かではあるが、周縁側からに中心側の傾斜段部５ｇに向かってその傾斜段部５ｇよりも緩やかな傾斜角で下方に徐々に傾斜して設けられている。
【００３８】
以上、この発明の光電式煙感知器の実施形態の一例を説明したが、この発明は上記の実施形態に限定されるものではなく、適宜の変更が可能である。
【符号の説明】
【００３９】
１：光電式煙感知器  ２：検煙部  ３：煙流入部  
３ａ：流入空間部  ３ｂ：流入口  ４：検煙部材  ４ａ：台板
５：煙流入部材  ５ａ：上方の板状部  ５ｂ：下方の板状部
５ｃ：支柱部  ５ｄ：突出部  ５ｅ：開口部  ５ｆ：連通口
５ｇ：傾斜段部  ５ｈ：突条部  
５ｊ：面（下方の板状部）  ５ｋ：面（上方の板状部） 
５ｍ：湾曲面  ６：ベース部材  ７：カバー部材
８：発光素子収納部  ９：受光素子収納部  １０：検煙空間部
１１：壁体  １２：検煙部カバー
Ａ１乃至Ａ６：煙及び／又は湯気等の流れ
【図１】
2018067067.tif 000003
【図２】
2018067067.tif 000004
【図３】
2018067067.tif 000005
【図４】
2018067067.tif 000006
【図５】
2018067067.tif 000007
【図６】
2018067067.tif 000008
【図７】
2018067067.tif 000009